(57)【要約】【課題】本考案は、設置対象箇所に確実に固定することができ、かつ、設置対象箇所の変更にも対応し易く、設置対象箇所の傷や汚れを伴うこともないマットスイッチを提供するものである。【解決手段】本考案に係るマットスイッチ１は、床面上に設置され、荷重作用時にスイッチ動作を行なう平面四角形状のマットスイッチ本体３の四隅に、床面に対する吸着、取り外しが可能な４個の吸着具４を溶着又は接着により固定配置したことを特徴とする。【選択図】図１
0003132772.tif 000002
【実用新案登録請求の範囲】
【請求項１】
設置対象箇所上に設置され、荷重作用時にスイッチ動作を行なうマットスイッチ本体に、前記設置対象箇所に対する吸着、取り外しが可能な吸着具を配置したことを特徴とするマットスイッチ。
【請求項２】
設置対象箇所上に設置され、荷重作用時にスイッチ動作を行なう平面四角形状のマットスイッチ本体の四隅に、前記設置対象箇所に対する吸着、取り外しが可能な４個の吸着具を溶着又は接着により固定配置したことを特徴とするマットスイッチ。
【請求項３】
設置対象箇所上に設置され、荷重作用時にスイッチ動作を行なう平面四角形状のマットスイッチ本体の二隅に、前記設置対象箇所に対する吸着、取り外しが可能な２の吸着具を溶着又は接着により固定配置したことを特徴とするマットスイッチ。
【請求項４】
設置対象箇所上に設置され、荷重作用時にスイッチ動作を行なう平面四角形状のマットスイッチ本体の隣り合う又は対角の二隅に、前記設置対象箇所に対する吸着、取り外しが可能な２の吸着具を溶着又は接着により固定配置したことを特徴とするマットスイッチ。
【請求項５】
設置対象箇所上に設置され、荷重作用時にスイッチ動作を行なう平面四角形状のマットスイッチ本体と、
このマットスイッチ本体の四隅に一端を固着し他端側を外方に突出させた４個の突出支持片と、
前記４個の突出支持片に各々着脱可能に配置した前記設置対象箇所に対する吸着、取り外しが可能な４個の吸着具と、
を有することを特徴とするマットスイッチ。
【請求項６】
設置対象箇所上に設置され、荷重作用時にスイッチ動作を行なう平面四角形状のマットスイッチ本体と、
このマットスイッチ本体の隣り合う又は対角の二隅に一端を固着し他端側を外方に突出させた２個の突出支持片と、
前記２個の突出支持片に各々着脱可能に配置した前記設置対象箇所に対する吸着、取り外しが可能な２個の吸着具と、
を有することを特徴とするマットスイッチ。
【請求項７】
設置対象箇所上に設置され、荷重作用時にスイッチ動作を行なう平面四角形状のマットスイッチ本体の裏面に、前記設置対象箇所に対する吸着、取り外しが可能な複数個の吸着具を一体に配置したことを特徴とするマットスイッチ。
【請求項８】
設置対象箇所上に設置され、荷重作用時にスイッチ動作を行なう平面四角形状のマットスイッチ本体の裏面に、前記設置対象箇所に対する吸着、取り外しが可能な成型加工による複数個の吸着具を一体に配置したことを特徴とするマットスイッチ。
【考案の詳細な説明】
【技術分野】
【０００１】
本考案は、マットスイッチに関し、詳しくは、床面等の設置対象箇所に対する固定、取り外しを容易化したマットスイッチに関するものである。
【背景技術】
【０００２】
一般に、マットスイッチは、床面等の設置対象箇所上に設置され、このマットスイッチ上に人等が乗ったときその荷重に応答してスイッチ動作を行なうものであり、例えば病院や介護施設等において人（入院患者、被介護者等）の動態把握用として広く用いられている。
【０００３】
この場合、病院や介護施設等々の床面等に配置されるマットスイッチは、薄型、軽量なものが多く、人の往来により容易に位置ずれを起こし、本来人を検知したい箇所から移動してしまい人の動態把握としての目的を果たさなくなるという問題がある。すなわち、設置対象箇所にマットスイッチを確実に固定することが極めて重要であり、かつ、入院患者、被介護者の状態に応じた設置対象箇所の変更にも対応し易いものであることが要請される。
【０００４】
従来の設置対象箇所に対するマットスイッチの固定手段としては、床面等にマットスイッチの寸法に応じた窪みを設ける、目地枠を用いてマットスイッチの周囲を囲みつつ床面等に固定する、ネジを用いて床面等に固定する、両面粘着テープ等を用いてマットスイッチを床面等に貼着する、等種々の手段が採用されている。
【０００５】
しかし、これらの固定手段の場合、床面等の設置対象箇所の工事が必要であったり、マットスイッチを取り外したとき床面等に傷や汚れが残ってしまうという不具合があった。
【０００６】
特許文献１には、人の荷重等により作動するマットスイッチで離床又は離席の検知を行なうようにした看護者の離床や離席の報知方法、装置が提案されている。しかし、この特許文献１の場合もマットスイッチを設置対象箇所に確実に固定する対策を講じたものではなく、上述したような問題を包含している。
【特許文献１】特開２００５−１５２６１６号公報
【考案の開示】
【考案が解決しようとする課題】
【０００７】
本考案が解決しようとする問題点は、設置対象箇所に確実に固定することができ、かつ、設置対象箇所の変更にも対応し易く、設置対象箇所の傷や汚れを伴うこともないマットスイッチが存在しない点である。
【課題を解決するための手段】
【０００８】
本考案のマットスイッチは、設置対象箇所上に設置され、荷重作用時にスイッチ動作を行なうマットスイッチ本体に、前記設置対象箇所に対する吸着、取り外しが可能な吸着具を配置したことを最も主要な特徴とする。
【考案の効果】
【０００９】
請求項１記載の考案によれば、マットスイッチ本体に、前記設置対象箇所に対する吸着、取り外しが可能な吸着具を配置したものであるから、設置対象箇所に確実に固定することができ、かつ、設置対象箇所の変更にも対応し易く、設置対象箇所の傷や汚れを伴うこともないマットスイッチを提供することができる。
【００１０】
請求項２記載の考案によれば、マットスイッチ本体の四隅に、前記設置対象箇所に対する吸着、取り外しが可能な吸着具を各々配置したものであるから、４個の吸着具により設置対象箇所にマットスイッチ本体を確実に固定することができ、かつ、設置対象箇所の変更にも対応し易く、設置対象箇所の傷や汚れを伴うこともないマットスイッチを提供することができる。
【００１１】
請求項３、４記載の考案によれば、平面四角形状のマットスイッチ本体の二隅に、すなわち、隣り合う又は対角の二隅に、設置対象箇所に対する吸着、取り外しが可能な２個の吸着具を各々配置したものであるから、２個の吸着具により設置対象箇所にマットスイッチ本体を確実に固定することができ、かつ、設置対象箇所の変更にも対応し易く、設置対象箇所の傷や汚れを伴うこともないマットスイッチを提供することができる。
【００１２】
請求項５記載の考案によれば、平面四角形状のマットスイッチ本体の四隅に一端を固着し他端側を外方に突出させた４個の突出支持片に対して各々着脱可能に４個の吸着具を配置した構成で、請求項２記載の考案の場合と同様、設置対象箇所にマットスイッチ本体を確実に固定することができ、かつ、設置対象箇所の変更にも対応し易く、設置対象箇所の傷や汚れを伴うこともないマットスイッチを提供することができる。
【００１３】
請求項６記載の考案によれば、平面四角形状のマットスイッチ本体の隣り合う又は対角の二隅に一端を固着し他端側を外方に突出させた２個の突出支持片に対して、各々着脱可能に２個の吸着具を配置した構成で、請求項３、４記載の考案の場合と同様、設置対象箇所にマットスイッチ本体を確実に固定することができ、かつ、設置対象箇所の変更にも対応し易く、設置対象箇所の傷や汚れを伴うこともないマットスイッチを提供することができる。
【００１４】
請求項７、８記載の考案によれば、平面四角形状のマットスイッチ本体の裏面に、前記設置対象箇所に対する吸着、取り外しが可能な複数個の吸着具を成型加工により一体に配置した構成で、設置対象箇所にマットスイッチ本体を確実に固定することができ、かつ、設置対象箇所の変更にも対応し易く、設置対象箇所の傷や汚れを伴うこともないマットスイッチを提供することができる。
【考案を実施するための最良の形態】
【００１５】
本考案は、設置対象箇所に確実に固定することができ、かつ、設置対象箇所の変更にも対応し易く、設置対象箇所の傷や汚れを伴うこともないマットスイッチを実現、提供するという目的を、設置対象箇所上に設置され、荷重作用時にスイッチ動作を行なう平面四角形状のマットスイッチ本体の四隅に、前記設置対象箇所に対する吸着、取り外しが可能な４個の吸着具を溶着又は接着により固定配置した構成により実現した。
【実施例】
【００１６】
以下に、本考案の実施例に係るマットスイッチについて、各図面を参照して詳細に説明する。
【００１７】
（実施例１）
図１、図２を参照して本考案の実施例１に係るマットスイッチ１について説明する。
本実施例１に係るマットスイッチ１は、図１に示すように、例えば病院や介護施設等における設置対象箇所である床面２上に設置され、人（入院患者、被介護者等）が表面３ａ上に乗ることによる荷重作用時にスイッチ動作を行なう平面四角形状のマットスイッチ本体３と、このマットスイッチ本体３における前記床面２と対向する側の面である裏面３ｂ側の四隅に各々固定配置した前記床面２に対する吸着、取り外しが可能なゴム又は合成樹脂製の吸盤からなる４個の吸着具４とを有している。
【００１８】
前記吸着具４は、図２に示すように、マットスイッチ本体３の裏面３ｂ側の四隅にその上端を溶着又は接着により各々固着している。また、前記マットスイッチ本体３は、図１に概略的に示すように、マットスイッチ本体３自体に内蔵したテープスイッチ等からなり前記荷重作用時にスイッチ動作を行なうスイッチ素子６と、図示しない制御装置に接続され、スイッチ素子６の動作に伴うスイッチ信号を制御装置に送る信号ケーブル５とを備えている。
【００１９】
本実施例１に係るマットスイッチ１によれば、マットスイッチ本体３の裏面３ｂ側の四隅に、上端を溶着又は接着により各々固着した４個の吸着具４を備えているので、このマットスイッチ１が薄型の構成である場合においても、前記床面２上に４個の吸着具４の吸着力を利用して確実に固定することができる。
【００２０】
これにより、人の往来等による位置ずれを防止し、本来の設置箇所において前記スイッチ素子６のスイッチ動作と相俟って入院患者、被介護者等の動態把握用としての機能を確実に発揮させることができる。
【００２１】
また、本実施例１に係るマットスイッチ１によれば、４個の吸着具４を利用して床面２上に固定する構成であるため、マットスイッチ１を当該床面２上から取り外す場合も手動にて容易に吸着具４を床面２から離脱させることができ、設置対象箇所の変更にも容易に対応できるとともに、従来例のような床面２に対する工事やネジ止め等が全く不要であることから床面２の傷や汚れを皆無とすることができる。
【００２２】
（実施例２）
図３を参照して本考案の実施例２に係るマットスイッチ１Ａについて説明する。
本実施例２に係るマットスイッチ１Ａは、基本的には実施例１に係るマットスイッチ１と同様な構成であり、同一の要素には同一の符号を付して示す。
【００２３】
本実施例２に係るマットスイッチ１Ａは、図３に示すように、平面四角形状のマットスイッチ本体３における床面２と対向する側の面である裏面３ｂ側の例えば長辺を介して隣り合う二隅に、各々前記床面２に対する吸着、取り外しが可能な２個の吸着具４を実施例１と同様にして固定配置したことが特徴であり、この他の構成は実施例１の場合と同様である。
【００２４】
本実施例２に係るマットスイッチ１Ａによれば、マットスイッチ本体３の裏面３ｂ側の二隅に、２個の吸着具４を備えているので、このマットスイッチ１が薄型の構成である場合においても、前記床面２上に２個の吸着具４の吸着力を利用して確実に固定することができる。
【００２５】
これにより、実施例１の場合と同様、人の往来等による位置ずれを防止し、本来の設置箇所において前記スイッチ素子６のスイッチ動作と相俟って入院患者、被介護者等の動態把握用としての機能を確実に発揮させることができる。
【００２６】
また、本実施例２に係るマットスイッチ１Ａによれば、２個の吸着具４を利用して床面２上に固定する構成であるため、マットスイッチ１を当該床面２上から取り外す場合も手動にて容易に吸着具４を床面２から離脱させることができ、実施例１の場合と同様、設置対象箇所の変更にも容易に対応できるとともに、従来例のような床面２に対する工事やネジ止め等が全く不要であることから床面２の傷や汚れを皆無とすることができる。
【００２７】
更に、本実施例２に係るマットスイッチ１Ａによれば、２個の吸着具４を備える構成であるので、実施例１のマットスイッチ１に比べ、床面２に対する固定、取り外し作業がより簡略化するという利点もある。
【００２８】
図４は、実施例２に係るマットスイッチ１Ａの変形例であるマットスイッチ１Ｂを示すものであり、このマットスイッチ１Ｂは、平面四角形状のマットスイッチ本体３の裏面３ｂ側の対角の二隅に、２個の吸着具４を固定配置したものである。
【００２９】
このマットスイッチ１Ｂの場合においても、上述したマットスイッチ１Ａの場合と同様な作用、効果を発揮させることができる。
【００３０】
（実施例３）
図５乃至図７を参照して、本考案の実施例３に係るマットスイッチ１Ｃについて説明する。
【００３１】
本実施例３に係るマットスイッチ１Ｃは、前記実施例１と同様なマットスイッチ本体３と、このマットスイッチ本体３の裏面３ｂ側の四隅に一端を溶着又は接着により固着し、他端側を外方に突出させた４個の例えば合成樹脂板からなる突出支持片１１と、前記４個の突出支持片１１に各々着脱可能に配置した床面２に対する吸着、取り外しが可能なゴム又は合成樹脂製の吸盤からなる４個の吸着具１２と、を有している。
【００３２】
前記突出支持片１１に対する吸着具１２の着脱構造としては、例えば図６、図７に示すように、突出支持片１１の他端側近傍位置に、出入開口部１３、円形孔部１４を連通させた装着部１５を設け、吸着具１２の小径部１２ａを出入開口部１３から円形孔部１４内に嵌め込んで装着部１５により前記吸着具１２を離脱可能に支持する構造を挙げることができる。
【００３３】
本実施例３に係るマットスイッチ１Ｃによれば、マットスイッチ本体３の裏面３ｂ側の四隅に４個の突出支持片１１を各々固着し、４個の突出支持片１１により４個の吸着具１２を各々着脱可能に支持した構成であるため、このマットスイッチ１Ｃが薄型の構成である場合においても、前記床面２上に４個の吸着具１２の吸着力を利用して確実に固定することができる。
【００３４】
これにより、人の往来等による位置ずれを防止し、本来の設置箇所において前記スイッチ素子６のスイッチ動作と相俟って入院患者、被介護者等の動態把握用としての機能を確実に発揮させることができる。
【００３５】
また、本実施例３に係るマットスイッチ１Ｃによれば、４個の吸着具１２を利用して床面２上に固定する構成であるため、マットスイッチ１Ｃを当該床面２上から取り外す場合も手動にて容易に吸着具１２を床面２から離脱させることができ、設置対象箇所の変更にも容易に対応できるとともに、従来例のような床面２に対する工事やネジ止め等が全く不要であることから床面２の傷や汚れを皆無とすることができる。
【００３６】
更に、本実施例３に係るマットスイッチ１Ｃは、４個の吸着具１２を各突出支持片１１に対して着脱可能としているので、吸着具１２が損傷した場合等の交換も容易であるという利点がある。
【００３７】
（実施例４）
図８を参照して、本考案の実施例４に係るマットスイッチ１Ｄについて説明する。
【００３８】
本実施例４に係るマットスイッチ１Ｄは、基本的には実施例３のマットスイッチ１Ｃと同様な構成であるが、実施例３の場合と異なり、マットスイッチ本体３の長辺を介して隣り合う二隅のみに２個の突出支持片１１を配置し、各突出支持片１１により２個の吸着具１２を各々着脱可能に配置したことが特徴である。
【００３９】
本実施例４に係るマットスイッチ１Ｄによっても、実施例３のマットスイッチ１Ｃと同様な作用、効果を発揮させることができる。また、このマットスイッチ１Ｄによれば、２個の吸着具１２を利用するものであるから、実施例３のマットスイッチ１Ｃに比べ、床面２に対する固定、取り外し作業がより簡略化するという利点もある。
【００４０】
図９は、本実施例４に係るマットスイッチ１Ｄの変形例であるマットスイッチ１Ｅを示すものであり、このマットスイッチ１Ｅは、平面四角形状のマットスイッチ本体３の裏面３ｂ側の対角の二隅に、２個の突出支持片１１及び２個の吸着具１２を固定配置したものである。
【００４１】
このマットスイッチ１Ｅの場合においても、上述したマットスイッチ１Ｄの場合と同様な作用、効果を発揮させることができる。
【００４２】
（実施例５）
図１０、図１１を参照して、本考案の実施例５に係るマットスイッチ１Ｆについて説明する。
【００４３】
本実施例５に係るマットスイッチ１Ｆは、実施例１の場合と同様な平面四角形状のマットスイッチ本体３の裏面３ｂ側に、床面２に対する吸着、取り外しが可能な成型加工による複数個、例えば６個の吸着具３ｃを一体的に、かつ、分離して列設配置した構成となっている。
【００４４】
すなわち、前記マットスイッチ１Ｆは、マットスイッチ本体３を構成する例えばゴム製の外被を成型する際に併せて６個の吸着具３ｃを一体に成型加工したものである。
【００４５】
本実施例５に係るマットスイッチ１Ｆによれば、６個の吸着具３ｃを一体的に、かつ、分離配置に列設配置した構成のものであるから、このマットスイッチ１Ｆが薄型の構成である場合においても、前記６個の吸着具３ｃを利用して床面２上確実に固定することができる。
これにより、人の往来等による位置ずれを防止し、本来の設置箇所においてスイッチ素子６のスイッチ動作と相俟って入院患者、被介護者等の動態把握用としての機能を確実に発揮させることができる。
【００４６】
また、本実施例５に係るマットスイッチ１Ｆによれば、６個の吸着具３ｃを利用して床面２上に固定する構成であるため、マットスイッチ１Ｆを当該床面２上から取り外す場合も手動にて容易に吸着具３ｃを床面２から離脱させることができ、設置対象箇所の変更にも容易に対応できるとともに、従来例のような床面２に対する工事やネジ止め等が全く不要であることから床面２の傷や汚れを皆無とすることができる。
【００４７】
なお、前記吸着具３ｃの個数としては、６個に限らず、２個、４個、８個、更に多数個等、任意の個数としてマットスイッチ１Ｆを構成できる。
【産業上の利用可能性】
【００４８】
本考案は、上述した場合の他、薄型平面上の各種部材を目的箇所に固定する場合に関して広範に応用可能である。
【図面の簡単な説明】
【００４９】
【図１】本考案の実施例１に係るマットスイッチの概略斜視図である。
【図２】本実施例１に係るマットスイッチの部分側面図である。
【図３】本考案の実施例２に係るマットスイッチの概略斜視図である。
【図４】実施例２の変形例に係るマットスイッチの概略斜視図である。
【図５】本考案の実施例３に係るマットスイッチの概略斜視図である。
【図６】本実施例３に係るマットスイッチの部分側面図である。
【図７】本実施例３に係るマットスイッチの部分平面図である。
【図８】本考案の実施例４に係るマットスイッチの概略斜視図である。
【図９】実施例４の変形例に係るマットスイッチの概略斜視図である。
【図１０】本考案の実施例５に係るマットスイッチの概略平面図である。
【図１１】本実施例５に係るマットスイッチの側面図である。
【符号の説明】
【００５０】
１    マットスイッチ
１Ａ  マットスイッチ
１Ｂ  マットスイッチ
１Ｃ  マットスイッチ
１Ｄ  マットスイッチ
１Ｅ  マットスイッチ
１Ｆ  マットスイッチ
２    床面
３    マットスイッチ本体
３ａ  表面
３ｂ  裏面
３ｃ  吸着具
４    吸着具
５    信号ケーブル
６    スイッチ素子
１１    突出支持片
１２    吸着具
１２ａ  小径部
１３    出入開口部
１４    円形孔部
１５    装着部
【図１】
0003132772.tif 000003
【図２】
0003132772.tif 000004
【図３】
0003132772.tif 000005
【図４】
0003132772.tif 000006
【図５】
0003132772.tif 000007
【図６】
0003132772.tif 000008
【図７】
0003132772.tif 000009
【図８】
0003132772.tif 000010
【図９】
0003132772.tif 000011
【図１０】
0003132772.tif 000012
【図１１】
0003132772.tif 000013
【手続補正書】
【提出日】平成19年4月18日(2007.4.18)
【手続補正１】
【補正対象書類名】明細書
【補正対象項目名】００１８
【補正方法】変更
【補正の内容】
【００１８】
前記吸着具４は、図２に示すように、マットスイッチ本体３の裏面３ｂ側の四隅に、その上端を溶着又は接着により各々固着している。また、前記マットスイッチ本体３は、公知のマットスイッチで荷重作用時にスイッチ動作を行い、図示しない制御装置に接続されて、マットスイッチの動作に伴うスイッチ信号を制御装置に送る信号ケーブル５を備えている。なお、前記マットスイッチ本体３は、図１に概略的に示すように、マットスイッチ本体３自体に内蔵したテープスイッチ等からなり前記荷重作用時にスイッチ動作を行なうスイッチ素子６と、図示しない制御装置に接続され、スイッチ素子６の動作に伴うスイッチ信号を制御装置に送る信号ケーブル５とを備えたものとして構成しても良い。
【手続補正２】
【補正対象書類名】明細書
【補正対象項目名】００２５
【補正方法】変更
【補正の内容】
【００２５】
これにより、実施例１の場合と同様、人の往来等による位置ずれを防止し、本来の設置箇所においてマットスイッチのスイッチ動作と相俟って入院患者、被介護者等の動態把握用としての機能を確実に発揮させることができる。